(57)【要約】【課題】本発明は、測定照度が頻繁に変動する環境でも、照度が高い環境ではすばやく見やすく切換えができるとともに、照度が低くなるときにコントラスト切り替わり時の見にくさを抑制する。【解決手段】環境照度に応じて表示画面のコントラスト調整する手段を備え、照度が高い方から低い方に変化するときの応答を、低い方から高い方の応答に対して遅らせる。更に、表示情報を分析する手段を備え、照度が高い方から低い方に変化するときには、表示情報が変化したときに切り替えを行うことによって、照度が低いときのコントラスト切り替わり時の見にくさを抑制できる。【選択図】図１
2014153694.tif 000002
【特許請求の範囲】
【請求項１】
照度を検出する照度検出手段と、検出された前記照度が所定のしきい値より高いほうから低いほうに変化したことを検出する低照度遷移検出手段と、前記検出された照度およびその変化結果に基づいて表示画像のコントラストを調整するコントラスト調整手段を備えた、表示装置。
【請求項２】
前記照度が第二しきい値より低いほうから高いほうに変化したことを検出する高照度遷移検出手段をさらに備え、前記低照度遷移検出手段の検出の応答性が、前記高照度遷移検出手段の検出の応答性よりも低速である請求項１記載の表示措置。
【請求項３】
前記照度の時間平均を行う平均値算出手段を更に備え、算出された前記照度の平均値より前記低照度遷移および前記高照度遷移を検出し、前記低照度遷移検出の算出周期が前記高照度遷移検出の算出周期よりも長い請求項２に記載の表示装置。
【請求項４】
表示情報の表示情報分析手段をさらに備え、前記低照度遷移検出手段で前記照度の変化が検出された場合、前記表示情報分析手段により前記表示情報の変化が検出された場合に、コントラスト調整値を変更する、請求項１乃至請求項３のいずれかに記載の表示装置。
【請求項５】
前記表示情報分析手段により前記表示情報の種類を検出し、前記表示情報の種類に応じて前記コントラスト調整値を変更する、請求項４に記載の表示装置。
【請求項６】
前記表示情報分析手段で所定の種類の前記表示情報を検出した場合、前記低照度遷移検出手段で前記照度の変化が検出された場合であっても、前記表示情報分析手段により前記表示情報の変化が検出されない間は、前記コントラスト調整値を変更せず、前記表示情報の変化が検出された時と略同時に前記コントラスト調整値を変更する、請求項４または請求項５のいずれかに記載の表示装置。
【請求項７】
前記表示情報が第一表示情報から第二表示情報へ変化した場合、前記第一表示情報から前記第二表示情報の遷移の間にアニメーション表示が存在する場合には、前記コントラスト調整値の変更は、前記アニメーションの表示開始または終了と略同時、または表示中である、請求項４乃至請求項６のいずれかに記載の表示装置。
【請求項８】
前記所定の種類の前記表示情報は、文字を含む表示情報であって前記文字の背景の輝度が前記文字の輝度よりも低い、請求項６または請求項７に記載の表示装置。
【請求項９】
前記コントラスト調整手段は、表示情報の各入力画素値を特定の出力画素値に変換するコントラスト調整パラメータ関数を用いて調整する、請求項１乃至請求項８のいずれかに記載の表示装置。
【請求項１０】
前記表示情報分析手段で検出した表示情報が、文字を含む表示情報であって前記文字の背景の輝度が前記文字の輝度よりも低い表示情報の場合は、前記コントラスト調整手段は前記入力画素値に対する前記出力画素値が単調減少となる単調減少関数を含む前記コントラスト調整パラメータ関数を用いて調整する、請求項９に記載の表示装置。
【請求項１１】
前記表示情報分析手段で検出した表示情報が画像を含む表示情報の場合は、前記コントラスト調整手段は、前記出力画素値は対応する前記入力画素値以上である前記コントラスト調整パラメータ関数を用いて調整する、請求項９に記載の表示装置。
【請求項１２】
前記表示情報分析手段で検出した表示情報のコントラストが所定値より小さい場合は、前記コントラスト調整パラメータ関数は、前記入力画素値が第一入力画素値より小さい場合には前記コントラスト調整パラメータ関数の微分値が１より小さく、前記入力画素値が第二入力画素値から第三入力画素値の間の場合には前記微分値が１より大きく、前記入力画素値が第四入力画素値より大きい場合には、前記コントラスト調整パラメータ関数の微分値が１より小さい関数である、請求項９に記載の表示装置。
【請求項１３】
照度検出手段で照度を検出する照度検出ステップと、検出された前記照度と所定のしきい値とを比較するステップと、前記検出された照度が前記所定のしきい値より高いほうから低いほうに変化したことを検出するステップと、前記検出された照度および変化結果に基づいて表示手段に表示された画像のコントラストを調整するステップと、を備えた表示方法。
【発明の詳細な説明】
【技術分野】
【０００１】
本発明は、携帯電話や携帯端末やデジタルカメラなどの電子機器の表示装置に関するものである。
【背景技術】
【０００２】
携帯端末装置を屋外で使用する場合には、外光が表示装置（ディスプレイ）の輝度に比べて高いため表示装置が非常に見にくくなる。
【０００３】
一方、従来の携帯電話や携帯端末装置はテレビ視聴やインターネットなどの多機能化が進み、消費電力が大きくなることにより電池の消耗が大きな課題になっている。
【０００４】
従来は、照度センサを用いて表示装置の液晶のバックライトの輝度を使用環境の照度に応じて制御することにより、表示画面を見やすくするとともに消費電力を抑制する方法が用いられている。（例えば特許文献１参照。）
図９には従来のバックライト制御の表示装置のブロック構成図を示す。
【０００５】
表示情報生成手段１からの表示情報を表示手段６により表示する。表示手段６は例えば液晶ディスプレイであり、バックライト７を備える。バックライト制御手段８は、照度検出手段５で検出した照度が高いときには、バックライト７の輝度を高くするバックライト制御を行う。
【０００６】
屋外など照度が高い使用環境にいるときには表示画面の輝度を高くすることで見やすくし、屋内や夜間などの暗い使用環境にいるときには表示画面のバックライト輝度を低くすることで携帯端末装置の消費電流を極力減らすことができる。
【０００７】
特許文献１では、照度が低いから高いに変化するときは、輝度設定の応答性を遅くすることで、高輝度にしにくくすることで消費電力を減らしている。
【０００８】
また、特許文献２では、照度変化が大きい場合にバックライト輝度の変化が頻繁になることを避けるため、照度がゆっくり変化するときのみ、バックライト輝度補正機能をオンにする。
【０００９】
また、特許文献３では、過去の表示情報の画像の特徴量を抽出し、その結果と照度結果に応じて、過去の表示情報に対して輝度変化が少ないように、現在の表示画像のコントラスト調整や彩度調整を行うことで、照度のみによる制御よりも輝度変化を少なくすることが可能で、視認性が向上する。
【先行技術文献】
【特許文献】
【００１０】
【特許文献１】特開２０１０−１７５９９７号公報
【特許文献２】特開平１０−２８２９２３号公報
【特許文献３】特開２００９−１０９８７６号公報
【発明の概要】
【発明が解決しようとする課題】
【００１１】
従来の携帯端末装置は、照度に応じて液晶のバックライトの輝度を調整していたが、照度環境の変化が大きいと輝度変動が大きくなり、輝度のちらつきが目立ってしまっていた。
【００１２】
一方、照度変化に対する制御の応答性が遅いと、輝度補正が必要な場面ですばやく輝度補正が行われなくなってしまう。
【００１３】
また、高照度の場合にはバックライト輝度が大きいために消費電流が大きくなっていた。
【００１４】
従来の特許文献１に記載されている方法は、低照度から高照度になったときのバックライト輝度の応答性を遅くすることで消費電力を抑制できるが、高照度になってもなかなか画面が明るくならず、視認性の悪い状態が長く続いてしまうという課題があった。
【００１５】
また、従来の特許文献２に記載されている方法は、照度がゆっくり変化するときのみ、バックライト輝度補正機能をオンにするため、輝度の変動は少ないが照度変動が大きい場所では高照度になってもなかなか画面が明るくならず、視認性の悪い状態が長く続いてしまうという課題があった。
【００１６】
また、従来の特許文献３に記載されている方法は、コントラスト調整のため消費電流も大きくならず視認性が改善できるが、過去の表示情報に対して輝度変化が少ない制御とするため、照度に対する制御の応答性が遅く、輝度補正が必要な場面ですばやく輝度補正が行われないという課題があった。
【００１７】
本発明は、消費電力の上昇を抑制しながら、照度変化が大きい環境でも、表示情報の輝度の変動が少なく、かつ照度に対する制御の応答性が速い表示情報のコントラスト及び輝度制御を実現することを目的とする。
【課題を解決するための手段】
【００１８】
次に、上記の課題を解決するための手段について述べる。
【００１９】
本発明の表示装置は、照度を検出する照度検出手段と、検出された照度が所定のしきい値より高いほうから低いほうに変化したことを検出する低照度遷移検出手段と、検出された照度およびその変化結果に基づいて表示画像のコントラストを調整するコントラスト調整手段を備える。
【００２０】
この構成により、照度に応じて低消費電流のまま画面を見やすく補正することができる。
【００２１】
また、本発明の表示装置は、照度が第二しきい値より低いほうから高いほうに変化したことを検出する高照度遷移検出手段をさらに備え、低照度遷移検出手段の検出の応答性が、高照度遷移検出手段の検出の応答性よりも低速である。
【００２２】
この構成により、照度変化が大きい環境でも、表示情報の輝度の変動が少なく、かつ照度に対する制御の応答性が速く、視認性が向上する。
【００２３】
また、本発明の表示装置は、照度の時間平均を行う平均値算出手段を更に備え、算出された照度の平均値より低照度遷移及び高照度遷移を検出し、低照度遷移検出の算出周期が高照度遷移検出の算出周期よりも長い。
【００２４】
この構成により、照度変化が大きい環境でも、表示情報の輝度の変動が少なく、かつ照度に対する制御の応答性が速く、視認性が向上する。
【００２５】
また、本発明の表示装置は、表示情報の表示情報分析手段をさらに備え、低照度遷移検出手段で照度の変化が検出された場合、表示情報分析手段により表示情報の変化が検出された場合に、コントラスト調整値を変更する。
【００２６】
この構成により、高照度から低照度の切換え時の見にくさ、または違和感を抑制することができる。
【００２７】
また、本発明の表示装置は、表示情報分析手段により表示情報の種類を検出し、表示情報の種類に応じてコントラスト調整値を変更する。
【００２８】
この構成により、表示情報の種類に応じて最適なコントラスト調整ができる。
【００２９】
また、本発明の表示装置は、表示情報分析手段で所定の種類の表示情報を検出した場合、低照度遷移検出手段で照度の変化が検出された場合であっても、表示情報分析手段により表示情報の変化が検出されない間は、コントラスト調整値を変更せず、前記表示情報の変化が検出された時と略同時にコントラスト調整値を変更する。
【００３０】
この構成により、高照度から低照度の切換え時の見にくさ、または違和感を抑制することができる。
【００３１】
また、本発明の表示装置は、表示情報が第一表示情報から第二表示情報へ変化した場合、第一表示情報から第二表示情報の遷移の間にアニメーション表示が存在する場合には、コントラスト調整値の変更は、アニメーションの表示開始または終了と略同時、または表示中である。
【００３２】
この構成により、高照度から低照度の切換え時の違和感を抑制することができる。
【００３３】
また、本発明の表示装置の前記所定の種類の表示情報は、文字を含む表示情報であって文字の背景の輝度が文字の輝度よりも低い。
【００３４】
この構成により、文字の背景の輝度が文字の輝度よりも低い表示情報の場合に高照度から低照度の切換え時の違和感を抑制することができる。
【００３５】
また、本発明の表示装置のコントラスト調整手段は、表示情報の各入力画素値を特定の出力画素値に変換するコントラスト調整パラメータ関数を用いて調整する。
【００３６】
この構成により、表示情報のコントラスト調整が可能となる。
【００３７】
また、本発明の表示装置は、表示情報分析手段で検出した表示情報が、文字を含む表示情報であって文字の背景の輝度が文字の輝度よりも低い表示情報の場合は、コントラスト調整手段は入力画素値に対する出力画素値が単調減少となる単調減少関数を含むコントラスト調整パラメータ関数を用いて調整する。
【００３８】
この構成により、文字を含む情報であって前記文字の背景が文字よりも輝度が暗い表示情報の場合に、白黒反転型のコントラスト補正が可能となり屋外などの高照度環境の視認性が向上する。
【００３９】
また、本発明の表示装置は、表示情報分析手段で検出した表示情報が画像を含む表示情報の場合は、コントラスト調整手段は、出力画素値は対応する入力画素値以上であるコントラスト調整パラメータ関数を用いて調整する。
【００４０】
この構成により、画像の平均輝度が上昇し屋外などの高照度環境の視認性が向上する。
【００４１】
また、本発明の表示装置は、表示情報分析手段で検出した表示情報のコントラストが所定値より小さい場合は、コントラスト調整パラメータ関数は、入力画素値が第一入力画素値より小さい場合にはコントラスト調整パラメータ関数の微分値が１より小さい。そして入力画素値が第二入力画素値から第三入力画素値の間の場合には微分値が１より大きく、入力画素値が第四入力画素値より大きい場合には、コントラスト調整パラメータ関数微分値が１より小さい関数である。
【００４２】
この構成により、コントラストが改善し屋外などの高照度環境の視認性が向上する。
【発明の効果】
【００４３】
本発明によれば、消費電力の上昇を抑制しながら、照度変化が大きい環境でも、表示情報の輝度の変動が少なく、かつ照度に対する制御の応答性が速い表示情報のコントラスト及び輝度制御を実現できる。
【図面の簡単な説明】
【００４４】
【図１】本発明の実施の形態１の表示装置のブロック構成図
【図２】本発明の実施の形態１のコントラスト調整パラメータ関数の一例
【図３】本発明の実施の形態１の環境照度の時間変化に対するコントラスト調整方法の説明図
【図４】本発明の実施の形態１のコントラスト調整方法のフローチャート
【図５】本発明の実施の形態２の表示装置のブロック構成図
【図６】本発明の実施の形態２のコントラスト調整パラメータ関数の一例
【図７】本発明の実施の形態２のコントラスト調整された画像の一例
【図８】本発明の実施の形態２のコントラスト調整方法のフローチャート
【図９】従来の表示装置のブロック構成図
【発明を実施するための形態】
【００４５】
以下、本発明の実施の形態について、図面を用いて説明する。
【００４６】
（実施の形態１）
図１は、本実施の形態１の表示装置のブロック構成図である。
【００４７】
なお、本実施の形態１は、屋外や屋内など様々な照度環境での使用が多い携帯端末装置を想定して記載するが、パソコンやデジカメなど表示手段を具備した電子機器であっても構わない。
【００４８】
本実施の形態１の表示装置の表示手段６は、液晶ディスプレイでありバックライト７を備えている。表示情報生成手段１からの表示情報を、コントラスト調整手段２を経由したのち、表示手段６により表示する。
【００４９】
照度検出手段５で検出した照度情報から、低照度遷移検出手段３と高照度遷移検出手段４は、検出された照度値と照度の変化を検出する。低照度遷移検出手段３は、高照度から低照度への変化を検出し、高照度遷移検出手段４は、低照度から高照度への変化を検出する。
【００５０】
コントラスト調整手段２は、低照度遷移検出手段３と高照度遷移検出手段４の検出結果をもとに、表示情報のコントラストや輝度などを調整する。
【００５１】
コントラスト調整手段２の詳細内容に関しては後述する。
【００５２】
また、本実施の形態１の表示装置は、従来のように、照度検出手段５で検出した環境照度に応じたバックライト輝度を調整するバックライト制御手段８を備えている。
【００５３】
バックライト制御手段８は、照度検出手段５で検出した照度が高いときには、バックライト７の輝度を高くするバックライト制御を行う。
【００５４】
また、液晶ディスプレイの代わりに、ＥＬ素子やプロジェクタタイプのディスプレイであってもよい。
【００５５】
また、上記のバックライト制御機能は備えていなくても構わない。
【００５６】
従来のバックライト制御では、高照度ではバックライト輝度を高くして見やすくするバックライト輝度を調整する方式のため、高照度下ではバックライトによる消費電流が大きく、また、バックライトの最大輝度以上の明るさには対応出来なかった。
【００５７】
そこで本実施の形態１では、表示情報の画像のコントラストまたは、輝度や色みなどを調整するコントラスト調整手段２を備え、コントラスト調整パラメータにより環境照度に応じて見やすい調整を行う。
【００５８】
コントラスト調整パラメータの一例を図２に示す。
【００５９】
コントラスト調整は、表示情報生成手段１からの表示情報のコントラスト等を調整するものであり、例えば表示情報の画像の各画素のＲＧＢ（レッド・グリーン・ブルー）値の何れかまたは全てを変換するための補正関数で定義される。ここでは、この補正関数をコントラスト調整パラメータ関数と呼ぶ。
【００６０】
コントラストを調整する対象である表示画像の各画素のＲＧＢの各値を例えば０から２５５までとし、入力画素に対する出力画素のコントラスト調整パラメータ関数を、低照度用を図２（１）、高照度用を図２（２）とする。
【００６１】
通常の屋内環境ではコントラスト調整パラメータ関数を（１）、屋外の高照度環境では（２）とする。
【００６２】
図２（２）のコントラスト調整パラメータ関数により、屋外の高照度環境では、表示情報の画像の各画素値は、コントラスト調整前の入力画素値よりもコントラスト調整後の出力画素値を大きくすることができるため、特に表示情報の画像の中で暗い部分の画素値の輝度を大きくすることができ、見やすい表示が実現できる。
【００６３】
なお、上記のコントラスト調整は、バックライト輝度が一定でも、表示情報の画像の画素値を大きくすることによって、表示画像の輝度を大きくすることができる方法である。
【００６４】
従って、バックライト輝度が一定のままで、バックライトの消費電流を大きくすることなく視認性を向上できる。
【００６５】
なお、コントラスト調整パラメータ関数は、本実施例に限定されるものではない。
【００６６】
また、図２では、ＲＧＢそれぞれ同一の関数としたが、ＲＧＢの関数が異なるようにすれば、輝度だけでなく色みも調整することが可能である。
【００６７】
次に、照度に応じたコントラスト調整パラメータ関数の切換え方法について述べる。
【００６８】
図１に示すように、照度検出手段５の出力結果から低照度環境に遷移したことを検出する低照度遷移検出手段３と、高照度環境に遷移したことを検出する高照度遷移検出手段４を備え、低照度遷移検出したときには低照度用のコントラスト調整、高照度遷移検出したときには高照度用のコントラスト調整に切り換える。
【００６９】
図３は、環境照度の時間変化に対するコントラスト調整方法の説明図である。
【００７０】
実線の照度９は瞬間照度、点線の照度１０は時間平均の平均照度を示す。
【００７１】
低照度から高照度になったときの判定用しきい値を第二しきい値１１、高照度から低照度になったときの判定用しきい値を第一しきい値１２とする。
【００７２】
第一しきい値と第二しきい値は同じ値でも構わないが、第一しきい値１２は、第二しきい値１１よりも小さくしてヒステリシスをもたせることで低照度と高照度の変動を直接受けにくくなり見やすくなる。
【００７３】
第一しきい値と第二しきい値として、例えば、３０００から１００００ルクス程度の値を設定すれば屋外の晴れのときに見やすいコントラスト調整が可能となる。
【００７４】
第一制御結果１５は、従来の第一しきい値１２と第二しきい値１１のみを用いて高照度制御と低照度制御の切換えを行った場合の制御結果を示す。白地部は高照度制御１３、斜線部は低照度制御１４を示す。
【００７５】
従来の携帯端末で用いられている照度センサはある特定方向からの光のみを受光するため、同一の屋外環境であっても検出される照度検出結果には変動が大きい。
【００７６】
従って、照度検出結果の変動が大きいと、従来の第一制御結果１５のように、低照度制御と高照度制御を頻繁に繰り返すことになり、表示画面の輝度がちらついて見にくい表示となってしまう。
【００７７】
検出した照度の時間平均結果で、高照度と低照度を判定すれば、照度の大きな変動を受けにくくなるが、制御の応答性が遅くなるため、高照度になってもなかなか画面が明るくならず、視認性の悪い状態が長く続いてしまう。
【００７８】
そこで本実施の形態１では、検出照度が第一しきい値より高いほうから低いほうに変化したことを検出する低照度遷移検出手段３と、検出照度が第二しきい値より低いほうから高いほうに変化したことを検出する高照度遷移検出手段４を備え、低照度遷移検出手段の検出の応答性が、高照度遷移検出手段の検出の応答性よりも低速とする。
【００７９】
例えば、高照度遷移を検出するときには瞬間照度９から判定し、低照度遷移を検出するときに平均照度１０から判定する。
【００８０】
または、高照度遷移を検出するときにも平均照度から判定し、低照度遷移の平均照度よりも平均回数が小さく応答性が速いものとしても構わない。
【００８１】
また、応答性の時定数が短い高照度遷移検出手段と、応答性の時定数が長い低照度遷移検出手段を用いても構わない。
【００８２】
第二制御結果１６は、上述の方法で高照度制御と低照度制御の切換えを行った場合の制御結果を示す。
【００８３】
以上説明した通り、本実施の形態においては、従来の第一制御結果１５よりも検出照度の大きな変動を受けにくく、切換えが頻繁になることがない。また、低照度から高照度を検出するときは逆の検出時よりも応答性が速いため、高照度下になってもなかなか画面が明るくならないという課題も発生しない。
【００８４】
図４は本発明の実施の形態１のコントラスト調整制御のフローチャートを示す。
【００８５】
コントラスト調整制御開始後、ステップ１（Ｓ１）において一定時間間隔で照度測定を行い、瞬間照度を測定する。次に時間平均により平均照度を算出する（Ｓ２）。
【００８６】
次に、現在が低照度コントラスト補正状態かを判定（Ｓ３）し、低照度コントラスト補正状態の場合には、瞬間照度と第二しきい値を比較し（Ｓ４）、瞬間照度が第二しきい値より大きい、または以上の場合には、高照度のコントラスト調整に切り換え（Ｓ５）たのち、Ｓ１に戻る。
【００８７】
また、Ｓ３において、現在が低照度コントラスト補正状態でない場合、すなわち高照度コントラスト補正状態の場合には、平均照度と第一しきい値を比較し（Ｓ６）、平均照度が第一しきい値より小さい、または以下の場合には、低照度のコントラスト調整に切り換え（Ｓ７）たのち、Ｓ１に戻る。
【００８８】
なお、従来のバックライト輝度制御と本発明のコントラスト調整制御は独立に制御できるので、同時に実施しても構わない。同時に実施することで輝度補正範囲の拡大が可能である。
【００８９】
なお、上記は日中の屋外などの高照度環境での視認性を向上させるためのコントラスト調整を想定して述べたが、夜の屋外や暗い部屋の中などの低照度環境で視認性を向上するためのコントラスト調整でも構わない。
【００９０】
従来のバックライトの輝度調整では、低輝度時のバックライト輝度の空間不均一性や輝度のちらつきなどのために、表示情報の低輝度化には限界があった。そこで夜の屋外など照度が例えば数１０ルクス以下の暗い場所では、表示画面が明るすぎて目が疲れやすく見にくいという課題があった。
【００９１】
そこで上述のコントラスト調整機能を用いて、表示情報の画像の画素値を小さくすることで表示情報の輝度を下げれば、暗いところでも見やすい表示が可能となる。
【００９２】
図２（３）は暗所用のコントラスト調整パラメータ関数の一例である。
【００９３】
高照度すなわち、通常の明るさの場所では図２（１）の関数を用い、低照度すなわち、例えば数１０ルクス以下の暗所では図２（３）の関数を用いて表示情報のコントラスト調整を行う。
【００９４】
これにより、暗所でも見やすい表示が可能となる。
【００９５】
（実施の形態２）
図５は、本実施の形態２の表示装置のブロック構成図である。
【００９６】
なお、本実施の形態２は、屋外や屋内など様々な照度環境での使用が多い携帯端末装置を例に記載するが、パソコンやデジカメなど表示手段を具備した電子機器であっても構わない。
【００９７】
実施の形態１に対して、さらに表示情報分析手段１７を追加する。
【００９８】
なお、実施の形態１にも記載されているものに関しては同様の機能及び動作のため、一部説明を省略する。
【００９９】
表示情報分析手段１７は、表示情報の画面が変化したことを検出したり、表示情報生成手段１からの表示情報のコントラストや輝度などの画像特性または、文字情報や画像情報などの情報種類を分析して判断、判定するものである。
【０１００】
表示情報の種類や画像特性結果に応じて最適なコントラスト調整パラメータを決定する。
【０１０１】
画像特性とは、例えば特許文献３に記載されているように、表示画像の画素値の色空間上の分布などから画像の特徴量を抽出するものである。
【０１０２】
情報種類とは、例えば表示されている表示画面のアプリケーションの種類から文字情報なのか、画像情報なのかなどを判定するものである。
【０１０３】
表示情報の種類とそれに適したコントラスト調整パラメータ関数の一例を図６に示す。
【０１０４】
図６（１）は、屋外の高照度環境において、表示情報のコントラストが小さいときのコントラスト調整パラメータ関数である。
【０１０５】
図６（１）に示すように、入力画素値が第一入力画素値１８より小さい場合には、コントラスト調整パラメータ関数の傾きすなわち微分値が１より小さく、入力画素値が第二入力画素値１９から第三入力値２０の間の場合には、コントラスト調整パラメータ関数の微分値が１より大きく、入力画素値が第四入力画素値２１より大きい場合には、コントラスト調整パラメータ関数の微分値が１より大きい。
【０１０６】
これにより、コントラスト調整パラメータ関数はＳ字型の関数となる。
【０１０７】
このコントラスト調整パラメータ関数は、入力画素値が小さい、すなわち暗い画素はさらに暗くなり、入力画素値が大きい、すなわち明るい画素はさらに明るくなるため、表示画像のコントラストが大きくなるように補正することができる。
【０１０８】
図６（２）は、屋外の高照度環境において、表示情報が文字情報と背景情報を含む情報であって背景情報の画素が文字情報の画素よりも輝度が暗いときのコントラスト調整パラメータ関数である。
【０１０９】
図７には、図６（２）の白黒反転型のコントラスト調整画像の一例を示す。
【０１１０】
図７（１）の画像を図６（２）のコントラスト調整パラメータ関数でコントラスト調整した結果が図７（２）である。
【０１１１】
図７（１）の白い画素すなわち大きい画素値の文字は、図６（２）のコントラスト調整パラメータ関数により、図７（２）に示すように黒い画素すなわち小さい画素値の文字に変換され、図７（１）の背景の黒色は白色に変換される。
【０１１２】
これにより、例えば黒地の背景に白文字が記載されている表示情報を白黒反転のような画像補正が可能となり、表示情報の全体の平均輝度が明るい画像に変換されるため、屋外の高照度下で見やすい表示となる。
【０１１３】
また、図６では、ＲＧＢそれぞれ同一の関数としたが、ＲＧＢの関数が異なるようにすれば、輝度だけでなく色みも調整することが可能である。
【０１１４】
図２（２）は、表示情報が画像や写真などを多く含むときのコントラスト調整パラメータ関数である。
【０１１５】
これにより、平均輝度が暗めの画像を平均輝度が明るい画像に変換することが可能となり、屋外の高照度環境で見やすい表示となる。
【０１１６】
このように、屋外などの高照度下と判定された場合には、表示情報の種類に応じて最適なコントラスト調整パラメータ関数を選択する。
【０１１７】
次に、表示情報の種類に応じたコントラスト調整の切換えタイミングに関して述べる。
【０１１８】
環境照度が第二しきい値より低いほうから高いほうに変化した場合には、実施の形態１と同様に高照度遷移検出手段の結果が高照度に変化した時と略同時のタイミングでコントラスト調整の切換えを行う。このときコントラスト調整パラメータは表示情報分析手段１７の結果に基づいて最適なパラメータ関数を決定する。
【０１１９】
また、高照度用のコントラスト調整パラメータで補正しているときに、表示情報の種類が変更になった場合には、表示情報分析手段１７による表示情報の種類が変更になったタイミングで、コントラスト調整値、すなわちコントラスト調整パラメータ関数を変更する。
【０１２０】
また、低照度遷移検出手段の結果により、環境照度が第一しきい値より高いほうから低いほうに変化した場合には、低照度遷移を検出した瞬間またはその直後にパラメータ関数を切り換えるのではなく、表示情報分析手段１７により、表示情報が変化したか、または表示情報の種類が変更になったタイミングで、低照度用のコントラスト調整パラメータ関数へ変更する。以下、その理由を説明する。
【０１２１】
高照度用パラメータ関数から低照度用パラメータ関数に切り換えるときには、表示画像が暗くなるなど見にくい表示画像へと切り替わるため、その変化が大きい場合にユーザは見にくさが増したというストレスを感じやすい。
【０１２２】
そこで、表示情報または表示情報の種類が変更になる画面切換えのタイミングと同時にコントラスト調整パラメータ関数を切り換えれば、コントラスト調整パラメータ関数の切換えと表示情報の変更または表示情報の種類の切換えがほぼ同時に実現でき、コントラスト調整パラメータ関数の切換え時のストレスを回避できるため、視認性が向上する。
【０１２３】
なお、上記の切換え時の見にくさは特に表示情報の変化が大きい場合のため、表示情報が文字を含む情報であって文字の背景が文字よりも輝度が暗い画像の場合に限定しても構わない。
【０１２４】
その場合には、その他の種類の表示情報に関しては、実施の形態１と同様に照度が所定しきい値よりも小さくなった場合にコントラスト調整パラメータ関数を変更すればよい。
【０１２５】
図８は本発明の実施の形態２のコントラスト調整制御のフローチャートを示す。
【０１２６】
コントラスト調整制御開始後、ステップ１（Ｓ１０１）において一定時間間隔で照度測定を行い、瞬間照度を測定する。さらに、表示情報分析手段により表示情報の分析を行う。
【０１２７】
次に時間平均により平均照度を算出する（Ｓ１０２）。
【０１２８】
次に、現在が低照度コントラスト補正状態かを判定（Ｓ１０３）し、低照度コントラスト補正状態の場合には、瞬間照度と第二しきい値を比較し（Ｓ１０４）、瞬間照度が第二しきい値より大きい、または以上の場合には、高照度のコントラスト調整に切り換えたのち、Ｓ１０１に戻る。
【０１２９】
また、Ｓ１０３において、現在が低照度コントラスト補正状態でない場合、すなわち高照度コントラスト補正状態の場合には、平均照度と第一しきい値を比較し（Ｓ１０６）、平均照度が第一しきい値より小さい、または以下の場合には、Ｓ１０７に進む。それ以外の場合にはＳ１０９に進む。
【０１３０】
Ｓ１０７ではＳ１０１の表示情報分析で表示情報が変化したかどうか判定し、変化した場合には、低照度のコントラスト調整に切り換えた（Ｓ１０８）のち、Ｓ１０１に戻る。
【０１３１】
Ｓ１０９ではＳ１０１の表示情報分析で表示情報が変化したかどうか判定し、変化した場合には、表示情報に応じた高照度のコントラスト調整パラメータに切り換えた（Ｓ１１０）のち、Ｓ１０１に戻る。
【０１３２】
以上がコントラスト調整制御のフローチャートの説明である。
【０１３３】
なお、上記では、表示情報分析手段の結果が変更になったタイミングで、高照度用パラメータ調整から低照度用パラメータ調整に切り換える方法を述べたが、表示情報が別の表示情報に切り替わるときに、アニメーションなどにより時間をかけて徐徐に切り替わる場合には、そのアニメーションの最中、またはアニメーションの開始または終了と略同時とすることによって、切換え時の見にくさを軽減できる。
【０１３４】
なお、上記は日中の屋外などの高照度環境での視認性を向上させるためのコントラスト調整を想定して述べたが、夜の屋外や暗い部屋の中などの低照度環境で視認性を向上するために、表示情報の種類に応じてコントラスト調整パラメータ関数を変更しても構わない。その場合の制御方法は図８と同様である。
【産業上の利用可能性】
【０１３５】
本発明は、携帯電話や携帯端末やデジタルスチルカメラなど、表示素子を含む電子機器に用いられる表示装置に利用可能である。
【符号の説明】
【０１３６】
１    表示情報生成手段
２    コントラスト調整手段
３    低照度遷移検出手段
４    高照度遷移検出手段
５    照度検出手段
６    表示手段
７    バックライト
８    バックライト制御手段
９    瞬間照度
１０    平均照度
１１    第二しきい値
１２    第一しきい値
１３    高照度制御
１４    低照度制御
１５    第一制御結果
１６    第二制御結果
１７    表示情報分析手段
１８    第一入力画素値
１９    第二入力画素値
２０    第三入力画素値
２１    第四入力画素値
【図１】
2014153694.tif 000003
【図２】
2014153694.tif 000004
【図３】
2014153694.tif 000005
【図４】
2014153694.tif 000006
【図５】
2014153694.tif 000007
【図６】
2014153694.tif 000008
【図７】
2014153694.tif 000009
【図８】
2014153694.tif 000010
【図９】
2014153694.tif 000011